【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
移動補助装置であって、
上端、下端、及び前記上端と前記下端との間で延びる外表面を有するマストと、
第１のベース脚及び第２のベース脚を備えて二辺型ベースフットプリントを形成するベースであって、前記第１のベース脚及び前記第２のベース脚のそれぞれの一端が前記マストに接続して頂点領域を形成し、前記マスト及び前記二辺型ベースフットプリントがマスト角度を形成し、前記マスト角度は、前記二辺型ベースフットプリントから垂直に延びる領域内で前記マストの少なくとも一部が延びるように鋭角である、ベースと、
医療用構成要素を固定するために前記マストに接続されるポールであって、前記ポールが、ある離間距離だけ前記マストの前記外表面から離間する長手方向軸線を有し、前記ポールが、前記マストの外方に且つ少なくとも部分的に前記マストの傍らに配置され、前記ポールと前記マストとの間の前記離間距離によって、ポール格納形態で１つ以上の医療用構成要素を固定するための空間がもたらされる、ポールと、
前記マスト又は前記ベースに接続される移動ハンドルと、
前記第１のベース脚に接続される第１のホイールと、
前記第２のベース脚に接続される第２のホイールと、
前記頂点領域に接続される第３のホイールとを備え、前記第１、第２及び第３のホイールのそれぞれは、前記移動補助装置が載せられる支持面と安定的に接触するように構成され、前記移動ハンドルが、前記支持面の上で前記移動補助装置を安定的に移動させるための加圧力を受けるように構成される、移動補助装置。
【請求項２】
前記ポールが、前記マストの前記上端に対して制御可能に延ばされるポール上端をもたらすように伸縮可能であり、前記ポール上端が、前記マストの前記上端から０ｃｍよりも大きく１ｍ以下の選択可能な高さだけ離間し、
前記ポールが、前記マストの長手方向軸線、前記マストの前記外表面、又は、これらの両方とほぼ整列される、請求項１に記載の移動補助装置。
【請求項３】
前記ポールが、前記マストの上端部及び前記マストの下端部に接続され、
前記ポールが上側ポール部と下側ポール部とを備え、前記上側ポール部と前記下側ポール部が、調節可能なポール長さを有する伸縮可能ポールをもたらすようにテレスコープ状に接続され、
前記ポールと前記マストの上端部との間の接続部が、前記マストの前記上端から延びる上端コネクタを備え、該上端コネクタが、前記ポールを受けるための通路を有し、
前記ポールと前記マストの下端部との間の接続部が、前記伸縮可能ポールの下端部を前記マストの前記下端に固定するための下端コネクタを備える、請求項１に記載の移動補助装置。
【請求項４】
前記ポールがポール上端を有し、前記移動補助装置が、医療用構成要素を固定するために前記ポール上端に接続される１又は複数のホルダを更に備える、請求項１に記載の移動補助装置。
【請求項５】
前記ポール上端から前方を向かない方向でそれぞれに延びる複数のホルダを備え、前記複数のホルダのうち第１のホルダ及び第２のホルダが、前記移動補助装置に対して左右方向で伸縮可能に互いに対向し、少なくとも２つの更なるホルダが、回転方向において均等に離間しつつ、後方を向く方向又は前方を向く方向に延び、前記複数のホルダが前記ポール上端に回転可能に接続され、この回転可能な接続によってホルダ前方展開形態及び後方格納形態がもたらされる、請求項４に記載の移動補助装置。
【請求項６】
前記マスト角度が５０°以上で且つ８５°以下の範囲から選択される、請求項１に記載の移動補助装置。
【請求項７】
前記頂点領域に接続される第４のホイールを更に備え、前記第３のホイール及び前記第４のホイールが、互いに対して整列するとともに、５ｃｍ以上で且つ５０ｃｍ以下の離間距離だけ離間する、請求項１に記載の移動補助装置。
【請求項８】
前記頂点領域又は前記ベースに接続される第５のホイールを更に備え、前記第５のホイールが、前記第３のホイールに対して後方にオフセットした位置にあるとともに、前記第１のホイール、前記第２のホイール、及び前記第３のホイールのそれぞれから垂直にオフセットし、それにより、前記移動補助装置の装置展開形態での移動中に、前記第１のホイール、前記第２のホイール、及び前記第３のホイールが前記支持面と安定的に接触し、前記第５のホイールが前記支持面と接触しない、請求項１〜７のいずれか一項に記載の移動補助装置。
【請求項９】
前記マストに接続される装着アームを更に備え、該装着アームが、前記二辺型ベースフットプリントから垂直に延びる前記領域内に含まれるある方向に延び、前記装着アームが、装着アーム展開形態及び装着アーム格納形態をもたらすように前記マストに回転可能に接続される、請求項１に記載の移動補助装置。
【請求項１０】
前記移動ハンドルが前記マストに対して平行移動可能に接続され、前記移動ハンドルが、該移動ハンドルの高さ調節機能及び前記ベースに対する２フィート以上で且つ６フィート以下の垂直高さから選択される制御可能な高さ調節機能をもたらすために、少なくとも前記マストの前記上端と前記下端との間の長手方向部分にわたって長手方向に平行移動する、請求項１に記載の移動補助装置。
【請求項１１】
前記移動ハンドルが、
互いに反対側を向く第１のプラットフォーム端部及び第２のプラットフォーム端部を有するプラットフォームと、
前記第２のプラットフォーム端部に接続される第１のグリップハンドルと、
前記第２のプラットフォーム端部に接続される第２のグリップハンドルとを更に備え、
前記第１のプラットフォーム端部が、前記マストに沿う長手方向の平行移動をもたらすべく前記マストに平行移動可能に接続され、前記第１のグリップハンドル及び前記第２のグリップハンドルが、前記プラットフォームに回転可能に接続され、前記第１のベース脚及び前記第２のベース脚によって定められるベース平面と略平行な平面に沿って前記プラットフォームから延びる、請求項１に記載の移動補助装置。
【請求項１２】
前記第１のグリップハンドル及び前記第２のグリップハンドルが、グリップハンドル展開形態及びグリップハンドル格納形態をもたらすように前記プラットフォームに対して取り外し可能又は回転可能に接続される、請求項１１に記載の移動補助装置。
【請求項１３】
前記移動ハンドルが第１のグリップハンドル及び第２のグリップハンドルを備え、これらのグリップハンドルは、それぞれが直線状であるとともに、３０°以上で且つ９０°未満の範囲から選択される鋭角であるグリップ角度で前記マストから延びる、請求項１に記載の移動補助装置。
【請求項１４】
前記移動ハンドルは、少なくとも１つの非直線部をそれぞれに有する第１のグリップハンドル及び第２のグリップハンドルを備え、前記グリップハンドルのそれぞれが基端部及び先端部を備え、前記基端部が前記先端部を前記マストに接続し、前記基端部と前記先端部が、９０°以上で且つ１６０°以下の範囲から選択される角度を成して外側に曲がる形態で接続する、請求項１に記載の移動補助装置。
【請求項１５】
前記第１のベース脚及び前記第２のベース脚のそれぞれは、前記ベース脚が前記マストと略平行である格納形態と前記ベース脚及び前記マストが鋭角の前記マスト角度を成す展開形態とをもたらすように、前記マストの前記下端に回転可能に接続される、請求項１に記載の移動補助装置。
【請求項１６】
酸素タンクを強固に保持するために前記マストに接続される酸素タンクホルダを更に備え、
前記酸素タンクホルダが、
酸素タンクの上部と結合するために前記マストに接続される上側タンクホルダと、
酸素タンクの底部と結合するために前記第１のベース脚又は前記第２のベース脚に接続される下側タンクホルダとを備える、請求項１に記載の移動補助装置。
【請求項１７】
移動補助装置であって、
下端及び上端を有するマストと、
第１のベース脚及び第２のベース脚を備えて二辺型ベースフットプリントを形成するベースであって、前記第１のベース脚及び前記第２のベース脚のそれぞれの一端が前記マストの前記下端に接続して頂点領域を形成し、前記マスト及び前記ベースフットプリントは、前記二辺型ベースフットプリントから垂直に延びる領域内で前記マストが延びるように鋭角のマスト角度を形成する、ベースと、
前記第１のベース脚に接続される第１のホイールと、
前記第２のベース脚に接続される第２のホイールと、
前記頂点領域に接続される第３のホイールであって、前記ホイールのそれぞれは、前記移動補助装置が載せられる支持面と安定的に接触するように構成される、第３のホイールと、
前記マストに接続される高さ調節可能な移動ハンドルであって、前記移動ハンドルが、少なくとも前記マストの前記上端と前記下端との間の長手方向部分に沿って平行移動し、前記移動ハンドルが、加圧力を受けて、該加圧力下で前記支持面の上で前記移動補助装置を安定的に移動させるように構成される、高さ調節可能な移動ハンドルとを備える、移動補助装置。
【請求項１８】
マストと、
前記マストに接続される第１のベース脚と、
前記マストに接続される第２のベース脚とを備える移動補助装置であって、
前記第１のベース脚及び前記第２のベース脚が二辺型ベースフットプリントを形成し、前記マスト及び前記二辺型ベースフットプリントは、該二辺型ベースフットプリントから垂直に延びる領域内で前記マストが延びるように鋭角のマスト角度を形成し、
酸素タンクホルダを更に備え、該酸素タンクホルダが、
酸素タンクの上部と結合するために前記マストに接続される上側タンクホルダと、
酸素タンクの底部と結合するために前記第１のベース脚又は前記第２のベース脚に接続される下側タンクホルダとを備える、移動補助装置。
【請求項１９】
前記上側タンクホルダが、酸素タンクを酸素タンク軸方向位置で固定するためのアームを備え、前記アームがループであり、前記ループが、前記第１のベース脚又は前記第２のベース脚の上方に前記ループを配置するように前記マストに回転可能に接続される、請求項１８に記載の移動補助装置。